(57)【要約】      （修正有）【課題】安全歩行ならびに簡易使用を行うことができる、高齢者等が歩行の補助に用いる杖の保持構造を提供する。【解決手段】杖取っ手に貫通する磁石（３）を備えた杖と、磁性体を備える杖立て掛け部に取り付ける保持具をそれぞれ設け、磁性体性質Ｎ極とＳ極を利用し、杖を利き手で掴むことを可能とする保持構造とした。【選択図】図１
2019170988.tif 000002
【特許請求の範囲】
【請求項１】
支柱の上部に握り（２）に貫通する磁石（３）を、杖立て掛け部（Ｗ）に取り付ける保持具（Ｈ）に磁性体（８）をそれぞれ設け、（３−Ｂ）の磁性体の磁極がＮの場合  杖保持具（Ｈ−Ｃ）の磁性体磁極がＳとなる（磁極が逆の場合いはどちらも逆となる）ことで、杖使用者の利き手を指定保持することを特徴とする保持構造。
また外出用ホルダー保持具の磁性体（８―Ｃ）も磁極はＳとなり  逆も同じである。
【請求項２】
支柱接合金具部分に蓄光部材を、保持具（Ｈ−１０）に蓄光部材を設けた杖の利き手着手用保持構造。
【請求項３】
杖上部の握り取っ手部分に  持ち手本体を貫通するよう磁性体磁石（３）を設け、持ち手であり利き掌に磁界が発生することを特徴とした持ち手構造。
【発明の詳細な説明】
【技術分野】
【０００１】  この発明は、高齢者等が歩行の際の補助に用いる杖の保持構造と安全歩行に関するものである。又、杖をついた歩行が、血流促進につながる軽運動となるよう機能させたものである。支柱（１）の上部にそれぞれの利き手に合わせた握り（２）を備えた杖を、立て掛け部（Ｗ）へ利き手に合わせて立て掛けた状態で保持する杖保持構造において、前記杖の支柱（１）若しくは前記利き手握り（２）に貫通する磁界を発生する磁性体を設け、前記立て掛け部（Ｗ）に利き手方向保持磁石（１０）を備え、磁石（３）も利き手方向に杖を保持するようにしたことを特徴とする杖保持構造。【０００２】  高齢者等の足腰が弱った人は、杖を歩行の際の補助としてあらゆる場所で用いる。この杖は、就寝時やトイレ、入浴、玄関での履物の脱着時では不要の為、戸口や玄関の壁など立て掛け部に一時的に立て掛けられる。いつでも利き手で簡単に掴み取ることの利便性を持つ。【０００３】  杖不使用時に、この杖を倒れないように立て掛け部に利き手に合わせて取れるようあらゆる場所に立て掛けることを可能にする。
握り部分に磁石３により磁界を発生させ、歩行時に常に手の平に毛細血管内の血流促進を促す仕組みを設ける。【０００４】      支柱のグリップとシャフトの接合金具（４）に蓄光部材を設けたことを特徴とし  請求項１または請求項２に記載の保持構造をこの杖に備えた。（４）は歩行時でも常にあらゆる角度から見て捕えれる部分であり、なるべく高い位置で周囲から目に付きやすく危険察知の必要性を重視した。【０００５】
【特許文献１】特開２００６−８７５３４号公報
【特許文献２】特開２０１２−４０２３２
【非特許文献】
【発明の概要】
【発明が解決しようとする課題】  文献１で示す保持具は、保持具に形成された保持部で凸凹形状部に杖の支柱をはめ込むものであり、保持具のすき間に支柱を入れる場合、健常者では容易な事でも、高齢者等身体能力低下のために保持具へのはめ込みがスムーズに出来ない。又高さの調節に於いても杖の位置ずれや杖の歪みで使い勝手に支障が発生することも多い。
文献２の保持具を使う場合、取り付け時の杖の向きにより、高齢者が杖を不得手で取り  利き手に持ち換える場面等の危険が発生する場合もある。
常に使用者、利用高齢者の危険を無くす事。また、保持具においては利用場所や使用範囲を広げ、より快適な自分自身での歩行の場面を創ることが健康維持につながる。【０００６】そこで、この発明は、杖の立て掛けの容易さに、再使用時の  容易で安全な利き手掴み仕様を成しそれを行えることを課題とする。
【課題を解決するための手段】
【０００７】  上記課題を解決するため、この発明では、支柱上部に握り部分を備えた杖を、立て掛け部へ立て掛けた状態に保持杖保持構造に於いて、利き手に合わせた保持をするために、前記杖の握りに手のひらの当たる部分（Ａ）、または前記立て掛け部の一方（Ｃ）に磁石を、（Ａ）にＳ極とした場合は（Ｃ）にＮ極を設ける、又は（Ａ）（Ｃ）の極が逆を設ける事で、必ず利き手に沿った保持をする構造を採用した。【０００８】杖握り部分に取り付ける磁石は１個体（数個合体した一塊の個体）で出来ており、保持具の周りに磁界を発生させている。又この磁石による保持具の磁場は磁石を中心に広がっており、前記磁石に吸着する磁性体（立て掛け部）をそれぞれ設け、前記磁石の磁性体への吸着力により、前記杖が倒れない様保持し、利き手で安全に取れるようにした。【０００９】個人個人に合わせた杖であり、それぞれに合わせた握り部分を取り付けるのであるが、杖自体を各個人に合わせた長さに設定しており、高さにおける微調整は、（７）足ゴム付け替えで行えることを特徴とする。もちろん、伸縮性で調節出来る杖にも展開は可能とする。【００１０】更に、（３）の磁石は、その磁界が杖を持つ手をまとう様になっており、歩行時に杖を掴もうとするその掌、手の指、掌内の関節などの毛細血管などに刺激を与え血流促進につながることを特徴とする。【００１１】特許文献２では、支柱の上部に握りを備えた杖を、立て掛け部へ立て掛けた状態に保持する構造において、杖の支柱もしくは握り、又は立て掛け部の一方に磁石を、他方に、前記磁石に吸着する磁性体をそれぞれ設け、前記磁石の前記磁性体への吸着力により、前記杖が倒れないように保持する構造を採用している。
また、軸合わせを行うことの必要性を無くしている点が重要な項目であり、高齢者でも容易に杖を立て掛ける事ができることとしている。
しかし杖を掴むという行為は、様々な生活の場面に於いて、杖を利き腕に持ち、歩行や様々な動作における体重移動に用いる場面に出くわす。
無理な力が掛かる場合は、体の軸がぶれ、転倒や尻餅をついたりなど危険な状況となる場合がある。
【解決手段】
【００１２】  杖の支柱もしくは握り２に磁石３を設け、この磁石（３）の周りに磁界発生をさせる。又この磁石３の吸着力と前記立て掛け部  Ｈの磁石（８）による接着部分の指定（３）がＮの場合（８−Ｃ）はＳ，又（３）がＳの場合には（８−Ｃ）はＮで、利き手向きに常に保管が容易になされる。
高齢になれば余計に、不得手な手での掴みはより危険を伴う事に考慮した。
【００１３】杖の支柱もしくは握りに強力な磁石を取り付け、クリップ付き磁性体を備える杖保持部材は、住居内又は屋外に於いて、鋼板などの磁性体からなる壁、カウンター等に自在に立て掛けられる。
図３の磁石をさまざまな場面で設置することで、無理に腰を曲げて杖を掴むとか利き手ではない方で危険な杖掴みを防止し、容易に杖を保管し、掴む事自体が容易になされる。
図４の（１５）のクリップにより、ズボン、パンツの腰位置やベルト、またはポケットに取り付ける事や、バックやリュックなどのサイドやポケット等への保持具の取り付けを可能とした。
【００１４】杖の不要時（玄関での靴履き時  或いはトイレでの用足し時  入浴時や  就寝時  等）における立て掛け  一時保管  を基本とし、使用時に常に利き手で掴めることを容易に行うことを特徴とする杖保持構造。杖歩行という行為自体を  より健康維持  もしくは健康促進  に繋げ杖歩行時に血流促進にもなる杖構造でもある。
【００１５】前記保持部材Ｈは、粘着テープや粘着シート、ビス、ねじ等で立て掛け部に取り付けることが出来る。この杖保持部材をあらかじめ設けておくことで、杖の使用者が必要な場所に立て掛け位置を設定し目印とすることが出来る。
【００１６】また、前記杖に於いては、杖シャフトと握り部分の接合部での蓄光部材を設けるのが好ましい。歩行時に握り部分は隠れる事や周りから人物の存在の確認作業を容易にさせる事や、材料を金属にし発光を強く出来る利点がある。又目に付くという位置に於いてはなるべく高い位置が望ましい。
【００１７】杖保持部材Ｈにも蓄光部材を設けるのが好ましい。この杖を使用者が夜間にトイレなどに行く際に、ベッド横やスタンドに杖を立て掛けている状況となる。周囲が暗がりの場合、杖がどこにあるか解らなくなることが在る。そこで杖の接合部の上に取っ手が在る為蓄光材料を使用することで明確に杖の場所と持ち手の位置の場所を知ることが出来る。同じように杖を何処に立て掛ければよいかは保持部材に蓄光剤を入れたり、保持部材の一部（Ｈ−１０）に蓄光シールなどを張り付けることでスムーズな杖立て掛けを行う事を可能とする。又トイレドア前などに杖保持部確認も容易に出来るので、探す煩わしさや、暗がりでの探す作業を回避できる。
【００１８】この発明では、杖の握りに磁石を、又杖の立て掛け部の他方にも磁石をそれぞれ設け、磁石同士の吸着力により、杖を前記立て掛け部に掴みやすいように立て掛けた状態で保持しえるようにした。この保持は磁石同士の吸引力によってなされ、杖の支柱軸が垂直方向から多少ずれていても、杖部分の強力な磁力  １個体（数個合体した一塊の個体）の磁性体磁石の強力な磁力によって充分な吸着力を得ることが出来る。このため利き手に合わせた向きは損なうことなく、高齢者でも戸惑うことなく杖の立て掛け、掴みを行うことができ、杖の使い勝手が向上する。
近年左利き手の上昇により、これからの社会では右利き手左利き手を考慮し保持機能を備えた杖は生活を豊かにするうえで重要な役割をになうものである。
【図面の簡単な説明】
【００１９】
【図１】この発明に係る杖の全体図  及び  斜視図  杖持ち手の側面図
【図２】杖持ち手の側面図と杖保持部材の断面図及びその接着壁断面
【図３】杖保持部材の断面及び正面
【図４】ストラップクリップ付杖保持具  及び保持具をベルトに付けた斜視図ならびに保持具をバックに付けた斜視図
【符号の説明】
【００２０】１  杖  支柱    ２  取っ手    ３  磁石    ４  蓄光部材（接合金具）
５  係止突起    ６  杖先    ７  ストラップ    ８  磁石（磁性体）
９  杖保持部材    １０  蓄光シール（蓄光体）    １１  貫通孔
１２  取り付けビス    １３  粘着シート    １４  剥離紙
１５  クリップストッパー
【図１】
2019170988.tif 000003
【図２】
2019170988.tif 000004
【図３】
2019170988.tif 000005
【図４】
2019170988.tif 000006
【手続補正書】
【提出日】平成30年5月31日(2018.5.31)
【手続補正２】
【補正対象書類名】明細書
【補正対象項目名】０００１
【補正方法】変更
【補正の内容】
【０００１】  この発明は、高齢者や歩行困難者など  歩行の際の補助に用いる杖の保持機能と保持構造に関するものである。
【手続補正３】
【補正対象書類名】明細書
【補正対象項目名】０００２
【補正方法】変更
【補正の内容】
【０００２】  高齢者で足腰が弱った人や身体機能に障害が在ったり、怪我による歩行困難な人は、杖を歩行の際の補助として用いる場合が多い。この杖はトイレや入浴時、玄関の靴履き時、就寝時などの際は  常に何らかの場所に一時的に立て掛けられる。
【手続補正４】
【補正対象書類名】明細書
【補正対象項目名】０００３
【補正方法】変更
【補正の内容】
【０００３】    この場合に、立て掛け方が悪く杖が床に倒れてしまったり、肘や足が杖に当たり杖が倒れてしまう事がよくある。その倒れた杖を拾う場合、腰を曲げ屈みこんで床に手をつかねばならぬ事も在り、高齢者や  障害者や  怪我をしている人にとっては大きな負担となり、場合によっては  転んでしまうような危険性もある。
【手続補正５】
【補正対象書類名】明細書
【補正対象項目名】０００４
【補正方法】変更
【補正の内容】
【０００４】そこで、杖を使わない場合、保持保管を特定場所にある程度の融通性を持った状況で行えることが必要となる。家庭内ではあらゆる生活場面で歩行外の行為や休息時などの保持保管、また移動乗り物の中での着席時にも手の届く範囲での保持保管が同様に必要である。